(57)【要約】【課題】架渡体を立設体の外方へ向かって膨らんで延出させて、立設体への動物の排泄を防止する。【解決手段】支柱Ｐ（立設体）の外周にバンド１（帯体、連結具）が巻きつけられて固定され、このバンド１には複数のスライド連結具５（連結具）が取り付けられ、このスライド連結具５の表面には環状連結具６（連結具）が調節ねじ９でねじ留めされ、このうち２つの環状連結具６の各連結穴７（連結具）に架渡ホース８（架渡体）の両端がそれぞれ挿入され固定されていく。この挿入方向は、架渡ホース８で連結される２つの環状連結具６の対向方向と逆方向となっており、架渡ホース８は大きく湾曲して外方へ向かって膨らんで延出される。これにより、犬等の動物の頭が入らずまたは足を上げられず、犬等の動物が支柱Ｐへ放尿等の排泄するのが防止される。【選択図】図２
2010207096.tif 000002
【特許請求の範囲】
【請求項１】
水平な面に対して立設される立設体の表面に固定される複数の連結具と、
この複数の連結具にわたって架け渡され、立設体の外方へ向かって膨らんで延出される架渡体とを備えたことを特徴とする立設体への動物の排泄防止装置。
【請求項２】
上記架渡体は、可撓性があることを特徴とする請求項１記載の立設体への動物の排泄防止装置。
【請求項３】
上記立設体は柱状であり、上記架渡体はこの柱状の立設体の全周囲にわたって隙間なく延出されることを特徴とする請求項１または２記載の立設体への動物の排泄防止装置。
【請求項４】
上記連結具は、立設体に巻回かつ固定される帯体を有し、この帯体に対して連結具は移動可能に取り付けられることを特徴とする請求項１、２または３記載の立設体への動物の排泄防止装置。
【請求項５】
上記複数の連結具の相互の距離は変更可能となっている、上記架渡体は連結具に対して移動可能で外方への延出量は変更可能となっている、上記連結具に対して架渡体の向きは変更可能となっている、または／及び複数の連結具は立設体に対して位置を変更可能となっていることを特徴とする請求項１、２、３または４記載の立設体への動物の排泄防止装置。
【請求項６】
上記１つの連結具には、複数の架渡体が取り付け可能となっており、この複数の架渡体は、上下に向きが異なっている、外方への膨らみ量が異なっている、長さが異なっている、または／及び太さが異なっていることを特徴とする請求項１、２、３、４または５記載の立設体への動物の排泄防止装置。
【発明の詳細な説明】
【技術分野】
【０００１】
本発明は、立設体への動物の排泄防止装置に関し、特に犬等の動物が電柱等の立設体に対して足を上げるなどして放尿などの排泄するのを防止する装置に関する。
【背景技術】
【０００２】
従来、このような立設体への動物の排泄防止装置としては、例えば、電柱等の立設体の地面よりやや上の位置から、周回状かつ放射状に多数の棒を突出させるものがある。これにより、犬が放尿のために足を上げようとしても、足が棒に当たるので、放尿できないことになる。
【０００３】
【特許文献１】特開平１１−１９６７５３号公報
【発明の開示】
【発明が解決しようとする課題】
【０００４】
しかしながら、放射状の棒であると、棒と棒の間に隙間ができて、この隙間に足が入ると、足を上げて排尿ができてしまうことになる。
【０００５】
本件発明は、上述した課題を解決するためになされたものであり、本発明の目的は、確実に犬等の動物が電柱等の立設体に対して足を上げるなどして放尿などの排泄するのを防止することにある。
【課題を解決するための手段】
【０００６】
上記目的を達成するために、本件発明の立設体への動物の排泄防止装置は、  水平な面に対して立設される立設体の表面に固定される複数の連結具と、  この複数の連結具にわたって架け渡され、立設体の外方へ延出される架渡体とを備えた。
【発明の効果】
【０００７】
これにより、放射状の棒のように、棒と棒の隙間に動物などの足が入りこむ可能性が少なくなり、確実に犬等の動物が電柱等の立設体に対して足を上げるなどして放尿などの排泄することを防止できる。
【発明を実施するための最良の形態】
【０００８】
（１）立設体への動物の排泄防止装置（第一実施例）
図１、図２は立設体への動物の排泄防止装置（第一実施例）を示す。支柱Ｐは（立設体）は、水平な地面Ｇ（面）に対してほぼ垂直に立設され、例えばアーケードの屋根を支えるものなどである。この支柱Ｐの横には雨水などが流れて排水される樋Ｒが平行に立設されている。
【０００９】
この支柱Ｐ及び樋Ｒの地面から数十センチメートルの高さの位置の外表面の全周囲には、布製のバンド１（帯体、連結具）が巻回されている。このバンド１の両端には樹脂製の雄フック２と雌フック３とが繋げられており、この雄フック２を雌フック３内に挿入することによって、雄フック２と雌フック３とがワンタッチで連結固定され、バンド１は環状になる。また、バンド１の取り外しもワンタッチででき、着脱が容易である。
【００１０】
このバンド１の途中には樹脂製の「日型」の長さ調整具４が取り付けられており、バンド１の端が雄フック２に係合されて折り返され、「日型」の長さ調整具４の中央に連結固定されている。この長さ調整具４をバンド１に対してスライドさせることによって、バンド１の環状の長さが調整される。これにより、環状に連結されたバンド１が、支柱Ｐに密着され固定される。
【００１１】
このバンド１にはさらに、樹脂製の「日型」のスライド連結具５ａ、５ｂ、５ｃ、５ｄ、５ｅ、５ｆ、５ｇ、５ｇ（連結具）が８つ取り付けられ、バンド１はこの「日型」の２つの隙間を挿通されており、スライド連結具５ａ、５ｂ、５ｃ、５ｄ、５ｅ、５ｆ、５ｇ、５ｇはバンド１に対してスライド移動可能となっている。この８つの「日型」のスライド連結具５ａ、５ｂ、５ｃ、５ｄ、５ｅ、５ｆ、５ｇ、５ｇの外側には、樹脂製の環状連結具６ａ、６ｂ、６ｃ、６ｄ、６ｅ、６ｆ、６ｇ、６ｇ（連結具）が固定されている。
【００１２】
図３はスライド連結具５ａ、５ｂ、５ｃ、５ｄ、５ｅ、５ｆ、５ｇ、５ｇｈ（連結具）及び環状連結具６ａ、６ｂ、６ｃ、６ｄ、６ｅ、６ｆ、６ｇ、６ｈ（連結具）を示す。上記８つのスライド連結具５ａ、５ｂ、５ｃ、５ｄ、５ｅ、５ｆ、５ｇ、５ｈ及び環状連結具６ａ、６ｂ、６ｃ、６ｄ、６ｅ、６ｆ、６ｇ、６ｈは、上記環状のバンド１の等間隔の４か所に２つずつスライド配置される。
【００１３】
そして、隣り合う２つのスライド連結具５ａ、５ｂ、５ｃ、５ｄ、５ｅ、５ｆ、５ｇ、５ｈ及び環状連結具６ａ、６ｂ、６ｃ、６ｄ、６ｅ、６ｆ、６ｇ、６ｈのうち、接近しあった２つではなく、離れあった２つにわたって上記架渡ホース８が架け渡される。すなわち、スライド連結具５、環状連結具６のうち５ｂ・６ｂと５ｃ・６ｃ、５ｄ・６ｄと５ｅ・６ｅ、５ｆ・６ｆと５ｇ・６ｇ、５ｈ・６ｈと５ａ・６ａとが架渡ホース８によって連結される。
【００１４】
上記環状連結具６には、２つの環状の連結穴７、７（連結具）が上下に並んで形成されている。この連結穴７、７の向きは、上記バンド１の長手方向に沿っている。このスライド連結具５の連結穴７には、中が空洞の管状の樹脂製の架渡ホース８…（架渡体）の端が挿通される。この挿通方向は、１つの架渡ホース８…が架け渡される方向からではなく、これとは反対の方向であって大回りする方向から挿通される。つまり、この挿入方向は、架渡ホース８で連結される２つの環状連結具６の対向方向と逆方向となっている。
【００１５】
これにより、架け渡される架渡ホース８…は、上記支柱Ｐ（立設体）の外方へ向かって大きく膨らんで大きく湾曲して延出される。したがって、犬等の動物が排尿のために支柱Ｐに向かって足を上げようとすると、足が架渡ホース８…に当たってまたは引っ掛かって、放尿などの排泄することを防止ですることができる。また、架渡ホース８…があるため、犬等の動物が排尿のために足を上げようとしても足を上げられない。さらに、犬等の動物が排尿のために支柱Ｐに近づこうとすると、架渡ホース８…に動物の頭が当たり、放尿などの排泄することを防止ですることができる。
【００１６】
この架渡ホース８…は蛇腹タイプであり、可撓性がある。したがって、犬等の動物が排尿のために支柱Ｐに近づいてもまたはぶつかっても、頭や足に怪我をすることがなくなり、動物愛護の点でも優れている。さらには、架渡ホース８…は可撓性があるので、子供等が近づいてもまたはぶつかっても、怪我をすることがなくなる。
【００１７】
上記架渡ホース８…は、上下２つの２つの環状の連結穴７、７につき、それぞれ複数例えば２つ挿通されており、上斜め方向と斜め下方向とに膨らんで湾曲して延出されていて、上下に向きが異なっている。したがって、斜め下方向に延びる架渡ホース８…によって、小型の犬等の動物が近づいたり足を上げたり放尿したりすることが防止される。また、斜め上方向に延びる架渡ホース８…によって、大型の犬等の動物が近づいたり足を上げたり放尿したりすることが防止される。
【００１８】
このような架渡ホース８は、上記環状連結具６の連結穴７、７（連結具）に対して回転させることができ、架渡ホース８の向きを環状連結具６（連結具）に対して変えることができる。これにより、排泄のために近づくと予想される動物の高さに応じて、架渡ホース８の向きを変えて調整することができる。
【００１９】
上述のように、上記架渡ホース８…の挿通方向は、架け渡される方向からではなく、これとは反対の方向であって大回りする方向から挿通されるので、隣り合う架渡ホース８…はスライド連結具５及び環状連結具６付近で互いに接近する、接触するまたは重なりあって、支柱Ｐの全周囲にわたって隙間なく延出される。したがって、架渡ホース８の隙間から、犬等の動物が排尿のために支柱Ｐに向かって足を上げることができなくなる。
【００２０】
上記架渡ホース８は、上記環状連結具６の連結穴７、７（連結具）に対してスライド移動可能となっていて、架渡ホース８の外方への延出量は変更可能となっている。これにより、隣り合う架渡ホース８…同士の隙間、接触状態または重なり量が調整され、無駄のない最適の状態で動物の排尿等の排泄を防止できる。
【００２１】
また、架渡ホース８の外方への膨らみ量を変えることができる。これにより、膨らみ量が大き過ぎて湾曲した架渡ホース８の中に動物が入らないようにしたり、膨らみ量が小さ過ぎて支柱Ｐに動物の尿が届いてしまわないようにしたりできる。よって、排泄のために近づくと予想される動物の大きさに応じて、架渡ホース８の外方への膨らみ量を調整できる。
【００２２】
さらに、上下の架渡ホース８それぞれは、外方への膨らみ量を異ならせることができるし、上下の架渡ホース８それぞれは、環状連結具６、６間の長さを異ならせることもできる。これにより、２つの架渡ホース８の上下で、排泄を防ぐ動物の大きさ・種類を分けて、上と下とで対象とする動物に最適な膨らみ量・長さを選択できる。
【００２３】
上記環状連結具６の２つの連結穴７、７に調節ねじ９が設けられ、この調節ねじ９を回すことによって、架渡ホース８を環状連結具６で締め付けて固定したり、弛めて架渡ホース８をスライド可能または回転させたりすることができる。
【００２４】
上記スライド連結具５は、上記バンド１に対してスライド移動可能となっているので、環状連結具６、６相互の距離は変更可能となっている。これにより、架渡ホース８を等間隔に調整したり、不等間隔に調整したり、スライド連結具５及び環状連結具６を支柱Ｐの角の側面を避けたりして、架渡ホース８を最適な膨らみ状態に調整できる。架渡ホース８の不等間隔調整は、例えば支柱Ｐの断面が長方形、一側面にのみ樋Ｒがあるなど、排泄防止装置を取り付ける対象が対称ではないときに行われる。
【００２５】
また、このようなスライド連結具５のスライド移動によって、一部のスライド連結具５を除外して、１つのバンド１に取り付けられる架渡ホース８の数を変更することもできる。これにより、支柱Ｐの形状・状態に応じて、架渡ホース８を最適な膨らみ状態に調整できる。例えば、支柱Ｐが三角柱であれば、架渡ホース８を３個または６個にし、支柱Ｐが六角柱であれば、架渡ホース８を６個または１２個にするなどである。
【００２６】
上記バンド１は雄フック２と雌フック３とを外して、上下に移動させて、ここに固定して、排泄防止装置、スライド連結具５、環状連結具６、架渡ホース８の取り付け位置を変更することができる。これにより、排泄を防止する動物の高さに応じて、排泄防止装置全体の地面Ｇからの高さを調整できる。また、上述のように支柱Ｐと樋Ｒとの間に隙間があれば、この隙間にバンド１を通して、排泄防止装置を固定することもできる。これにより、支柱Ｐ及び樋Ｒとバンド１との隙間を無くして排泄防止装置をより強固に固定できる。
【００２７】
また、バンド１のように可撓性があれば、支柱Ｐと樋Ｒとの間に隙間が無くても、支柱Ｐ及び樋Ｒの外側からバンド１を巻回できる。さらに、バンド１のように可撓性があれば、網、その他の隙間に通すこともでき、隙間さえあれば、任意の箇所に本装置を装着できる。
【００２８】
（２）立設体への動物の排泄防止装置（第二、第三、第四、第五実施例）
図４は立設体への動物の排泄防止装置（第二実施例）の平面を示す。この実施例では、隣り合う複数の架渡ホース８同士が端で互いに重なり合っている。また、環状連結具１１の連結穴の向きは支柱Ｐの外側面にほぼ直交する向きであり、架渡ホース８の両端も支柱Ｐの外側面にほぼ直交している。
【００２９】
これにより、架渡ホース８の湾曲した内側に別の架渡ホース８が入ってくるので、湾曲した架渡ホース８の内側に動物の頭、足、全身が入りにくくなる。なお、架渡ホース８の重なりは２つではなく、３つ、４つ、５つ、…と、より多く重なり合ってもよい。
【００３０】
図５は立設体への動物の排泄防止装置（第三実施例）の平面を示す。この実施例では、複数の細長い突出連結具１３…が上記バンド１などによって支柱Ｐの周囲に放射状かつ等間隔に固定され、この細長い突出連結具１３…の先端には互いに反対方向に開口した２つの連結穴が形成され、この連結穴にわたって直線状の架渡ホース８がそれぞれ架け渡されている。
【００３１】
この場合でも、複数の架渡ホース８…は外方へ向かって膨らんで延出されるといえる。これにより、架渡ホース８を支柱Ｐ外面からほぼ均等距離の位置で配置でき、配置される架渡ホース８に凹みがなくなり、この凹みに動物の足等が入ることがなくなる。なお、架渡ホース８…は湾曲していてもよく、この湾曲方向は外向きでも内向きでもよい。
【００３２】
図６は立設体への動物の排泄防止装置（第四実施例）の平面を示す。この実施例では、環状連結具１５…が上記バンド１などによって支柱Ｐの周囲に固定され、この環状連結具１５…の連結穴の向きは支柱Ｐの外側面にほぼ直交する向きであり、架渡ホース８の一端は連結穴の中に挿入固定され、支柱Ｐの外側面にほぼ直交している。
【００３３】
この架渡ホース８の一端のからやや中に入った、架渡ホース８の途中には別の環状連結具１６…が挿通固定されている。この環状連結具１６…には互いに直交する方向開口している２つの連結穴が形成されている。この２つの連結穴のうち一方には上述の架渡ホース８の途中まで挿通されており、連結穴の他方には隣の架渡ホース８の他端が挿入固定されている。
【００３４】
本実施例は変則的であるが、環状連結具１５…から架渡ホース８及び途中の環状連結具１６…を経て、隣の架渡ホース８を経由して、隣の環状連結具１５…までが、環状連結具１５と環状連結具１５とに架け渡された架渡体といえる。本実施例では、環状連結具１５…及び連結穴の数を少なくでき、また、隣り合う架渡ホース８が架渡ホース８の途中で連結でき、配置される架渡ホース８に凹みがなくなり、この凹みに動物の足等が入ることがなくなる。
【００３５】
なお、架渡ホース８の途中の環状連結具１６…は、一つの架渡ホース８につき１つではなく、２つまたは３つ以上でもよい。この場合、架渡ホース８の中には、支柱Ｐの環状連結具１５…ではなく、両端とも途中の環状連結具１６…に連結されるものも出てくる。
【００３６】
図７は立設体への動物の排泄防止装置（第五実施例）の側面を示す。この実施例では、支柱Ｐの全周囲にわたって、上下二段のバンド１が巻回固定され、この二段のバンド１、１の外周面には上記環状連結具６…がそれぞれ設けられ、各架渡ホース８の一端は上段の環状連結具６に挿通固定され、架渡ホース８は斜めに伸びて、各架渡ホース８の他端は下段の環状連結具６に挿通固定されている。
【００３７】
本実施例では、架渡ホース８が斜めになっているので、架渡ホース８の上に雨水やゴミなどがたまることがなくなる。なお、架渡ホース８は水平、斜めのほか、ほぼ垂直方向に延びていてもよい。また、架渡ホース８は同じ方向に斜めになっているほか、「Ｘ字状」に交差するように二方向にまたは他方向に斜めに配置されてもよい。
【００３８】
これら第二〜第五実施例の他の構成、作用、効果は、上記第一実施例と同じであり、これらの説明は本実施例でも記載されているものとするし、本実施例の記載内容も上記第一実施例にも記載されているものとする。第二〜第五実施例で記載されていないことは、第二〜第五実施例以外の実施例が参照されるし、第一実施例で記載されていないことは、当該第一実施例以外の実施例が参照される。
【００３９】
（３）立設体への動物の排泄防止装置（第六実施例）
図８は、立設体への動物の排泄防止装置（第六実施例）の側面を示す。本実施例では、バンド２１は樹脂製の板状で、このバンド２１の外側には帯状の係合帯２２が一体化されている。この係合帯２２はバンド２１の幅よりやや狭く、バンド２１と係合帯２２との間の上下は、凹んで係合溝２３、２３が形成されている。
【００４０】
スライド連結具２５（連結具）は板状であり、裏面上下には、「Ｌ字状」に曲がった係合つめ２７、２７が突出形成されており、この係合つめ２７、２７が上記バンド２１と係合帯２２との間の係合溝２３、２３にスライド可能に係合される。このスライド連結具２５の外面には、環状連結具２６（連結具）がねじ止めされている。この環状連結具２６は上記環状連結具６と全く同じ構造である。
【００４１】
ただし、調節ねじ９の頭部は、スライド連結具２５の内側の凹部内に収納され、係合帯２２の外面に当たらないようになっている。上記係合帯２２の上下には一部切欠（図示せず）があり、ここから係合つめ２７、２７が係合溝２３、２３に入ったり出たり可能となっており、これによりスライド連結具２５をバンド２１から着脱できる。
【００４２】
本実施例では、スライド連結具２５及び環状連結具２６のバンド２１への着脱が容易となり、またバンド２１のスライド連結具２５及び環状連結具２６の数を増やしたり減らしたりするのが容易となる。
【００４３】
これら第六実施例の他の構成、作用、効果は、上記第一〜第五実施例と同じであり、これらの説明は本実施例でも記載されているものとするし、本実施例の記載内容も上記第一〜第五実施例にも記載されているものとする。第一〜第五実施例で記載されていないことは、第一〜第五実施例以外の実施例が参照されるし、第六実施例で記載されていないことは、当該第六実施例以外の実施例が参照される。
【００４４】
（４）他の実施の形態
本発明は、上記実施例に限定されず、種々変更可能である。例えば、上記地面Ｇ（面）は、ほぼ水平な面であれば、歩道、車道、屋内、床、屋上、テラス、踊り場など、建物のほぼ水平な面など、どのような面でもよい。上記電柱Ｅ（立設体）は、アーケード支柱、樋、街路灯、道路標識、カーブミラー、立て看板、樹木、墓石、オブジェ、ガードレール、車のタイヤ、扉、門、建物の内壁、外壁、塀など、ほぼ垂直に立設されるものであれば何でもよく、柱状、棒状、壁状、網状、スリット状などなんでもよい。
【００４５】
立設体は一本の柱だけでなく、複数の柱であってもよいし、樋Ｒ以外に看板、配電盤、標識、樹木などが複合されたものでもよい。立設体の立設方向は、垂直方向のほか、歩道橋の階段などのように斜めでもよい。立設体が壁、扉またはタイヤなど、柱状ではないときには、両面接着テープ、接着剤、釘、ねじ、ボルト、磁石などで、環状連結具６を壁状の立設体に固定し、ここに架渡ホース８を架け渡して連結することになる。
【００４６】
これにより、壁状の立設体に対しての排泄も防止できる。この場合でも、架渡ホース８を複数繋いでいって、隙間なく架渡ホース８で埋めることができる。タイヤの場合には車体の外側に露出しているタイヤの外面を隙間なく架渡ホース８で埋めることができる。
【００４７】
１つのスライド連結具５の環状連結具６の連結穴７、７の大きさは、異なっていてもよい。よって、上下の架渡ホース８の太さを異ならせることができる。また、架渡ホース８が細くなれば軟かくでき、架渡ホース８が太くなれば硬くでき、架渡ホース８の硬さも異ならせることができる。これにより、２つの架渡ホース８の上下で、排泄を防ぐ動物の大きさ・種類を分けて、上と下とで対象とする動物に最適な太さ・硬さを選択できる。
【００４８】
環状連結具６の連結穴７の数は１つでもよいし、３つ以上でもよい。３つ以上にすれば、排泄を防止する動物の種類・大きさをより多くできる。排泄を防止する動物は、犬以外に、猫、猿、その他のペット、野生動物、人間などの動物でもよい。防止する排泄物は尿のほかに、糞などであってもよく、防止の対象は動物のマーキング、擦り付けなどの行為であってもよい。
【００４９】
架渡ホース８（架渡体）は蛇腹式の管状のほか、湾曲する板状、水平方向、垂直方向または斜め方向に波状・ジグザグ状、多角形状、螺旋状などでもよく、架渡ホース８の湾曲している内側も何らかの素材で板状に充填されていてもよい。架渡ホース８は支柱Ｐの全周囲に沿ってらせん状に配置されてもよい。架渡ホース８が多角形状であって、直線をつないだ形状であってもよく、この場合でも架渡ホース８全体形状としては外方へ膨らんでいるといえる。
【００５０】
架渡ホース８は可撓性があるが、無くて硬質剛体であってもよい。バンド１は布製以外に樹脂製、金属製、ゴム製、布製、繊維製、木製、竹製などでもよく、可撓性があっても可撓性がなくてもよく、硬質剛体であってもよい。雄フック２、雌フック３、長さ調整具４、スライド連結具５、環状連結具６、架渡ホース８は樹脂製以外に、金属製、ゴム製、布製、繊維製、木製、竹製などでもよい。
【００５１】
上記バンド１（帯体）は木、金属、樹脂などの硬質剛体の板状で、立設体の周囲・側面に上下に移動しない状態で固定されていてもよい。スライド連結具５及び環状連結具６は、バンド１に対してスライド移動せず、固定されていてもよい。架渡ホース８は、環状連結具６に対して固定され、回転できなくてもよいし、またスライド移動できなくてもよい。
【００５２】
上記架渡ホース８は、向きが同じであってもよく、外方への膨らみ量が同じでもよいし、長さが同じでもよいし、または／及び太さが同じであってもよい。上記架渡ホース８内には針金などの形状保持材が挿通され、この形状保持材の両端は上記スライド連結具５、環状連結具６、または連結穴７に固定される。この針金などの形状保持材によって、架渡ホース８の形状が時間が経過して垂れるなどの形状変更を防止できる。
【００５３】
（５）他の発明の効果
［１］水平な面に対して立設される立設体の表面に固定される複数の連結具と、  この複数の連結具にわたって架け渡され、立設体の外方へ向かって膨らんで延出される架渡体とを備えたことを特徴とする立設体への動物の排泄防止装置。これにより、放射状の棒のように、棒と棒の隙間に動物などの足が入りこむ可能性が少なくなり、確実に犬等の動物が電柱等の立設体に対して足を上げるなどして放尿などの排泄することを防止できる。
【００５４】
［２］上記架渡体は、可撓性があることを特徴とする請求項１記載の立設体への動物の排泄防止装置。これにより、犬等の動物や子供等が支柱Ｐに近づいてもまたはぶつかっても、頭や足に怪我をすることがなくなる。
【００５５】
［３］上記立設体は柱状であり、上記架渡体はこの柱状の立設体の全周囲にわたって隙間なく延出されることを特徴とする請求項１または２記載の立設体への動物の排泄防止装置。これにより、架渡体の隙間から、犬等の動物が排尿のために立設体に向かって足を上げることができなくなる。
【００５６】
［４］上記連結具は、立設体に巻回かつ固定される帯体を有し、この帯体に対して連結具は移動可能に取り付けられることを特徴とする請求項１、２または３記載の立設体への動物の排泄防止装置。これにより、立設体に凹凸が存在したり、複数の立設体が複合されてされた複雑な形状であったりしても、排泄防止装置をしっかりと取り付けることができる。
【００５７】
［５］上記複数の連結具の相互の距離は変更可能となっている、上記架渡体は連結具に対して移動可能で外方への延出量は変更可能となっている、上記連結具に対して架渡体の向きは変更可能となっている、または／及び複数の連結具は立設体に対して位置を変更可能となっていることを特徴とする請求項１、２、３または４記載の立設体への動物の排泄防止装置。
【００５８】
上記複数の連結具の相互の距離は変更可能となっていれば、架渡体を等間隔に調整したり、不等間隔に調整したり、連結具を立設体の角の側面を避けたりして、架渡体を最適な膨らみ状態に調整できる。上記架渡体は連結具に対して移動可能で外方への延出量は変更可能となっていれば、隣り合う架渡体同士の隙間、接触状態または重なり量が調整され、無駄のない最適の状態で動物の排尿等の排泄を防止できる。
【００５９】
上記連結具に対して架渡体の向きは変更可能となっていれば、排泄のために近づくと予想される動物の高さに応じて、架渡体の向きを変えて調整することができる。複数の連結具は立設体に対して位置を変更可能となっているので、排泄を防止する動物の高さに応じて、架渡体の地面Ｇからの高さを調整できる。
【００６０】
［６］上記１つの連結具には、複数の架渡体が取り付け可能となっており、この複数の架渡体は、上下に向きが異なっている、外方への膨らみ量が異なっている、長さが異なっている、または／及び太さが異なっていることを特徴とする請求項１、２、３、４または５記載の立設体への動物の排泄防止装置。これにより、排泄を防ぐ動物の大きさ・種類を分けて、向きの異なる、膨らみ量が異なっている、長さが異なっている、または／及び太さが異なっている架渡体で、排泄を防ぐ動物を分担できる。
【産業上の利用可能性】
【００６１】
架渡体を立設体の外方へ向かって膨らんで延出させて、立設体への動物の排泄を防止する。支柱Ｐ（立設体）の外周にバンド１（帯体、連結具）が巻きつけられて固定され、このバンド１には複数のスライド連結具５（連結具）が取り付けられ、このスライド連結具５の表面には環状連結具６（連結具）が調節ねじ９でねじ留めされ、このうち２つの環状連結具６の各連結穴７（連結具）に架渡ホース８（架渡体）の両端がそれぞれ挿入され固定されていく。
【００６２】
この挿入方向は、架渡ホース８で連結される２つの環状連結具６の対向方向と逆方向となっており、架渡ホース８は大きく湾曲して外方へ向かって膨らんで延出される。これにより、犬等の動物の頭が入らずまたは足を上げられず、犬等の動物が支柱Ｐへ放尿等の排泄するのが防止される。
【図面の簡単な説明】
【００６３】
【図１】立設体への動物の排泄防止装置（第一実施例）の側面を示す。
【図２】立設体への動物の排泄防止装置（第一実施例）の平面を示す。
【図３】スライド連結具５（５ａ、５ｂ、５ｃ、５ｄ、５ｅ、５ｆ、５ｇ、５ｇｈ）（連結具）及び環状連結具６（６ａ、６ｂ、６ｃ、６ｄ、６ｅ、６ｆ、６ｇ、６ｈ）（連結具）を示す。
【図４】立設体への動物の排泄防止装置（第二実施例）の平面を示す。
【図５】立設体への動物の排泄防止装置（第三実施例）の平面を示す。
【図６】立設体への動物の排泄防止装置（第四実施例）の平面を示す。
【図７】立設体への動物の排泄防止装置（第五実施例）の側面を示す。
【図８】立設体への動物の排泄防止装置（第六実施例）の側面を示す。
【符号の説明】
【００６４】
１…バンド（帯体、連結具）、２…雄フック、
３…雌フック、４…長さ調整具、
５ａ、５ｂ、５ｃ、５ｄ、５ｅ、５ｆ、５ｇ、５ｇ…スライド連結具（連結具）、
６ａ、６ｂ、６ｃ、６ｄ、６ｅ、６ｆ、６ｇ、６ｇ…環状連結具（連結具）、
７…連結穴（連結具）、８…架渡ホース、９…調節ねじ、
１１…環状連結具、１３…突出連結具、１５…環状連結具、１６…環状連結具、
２１…バンド、２２…係合帯、２３…係合溝、
２５…スライド連結具（連結具）、２６…環状連結具（連結具）、
２７…係合つめ、Ｐ…支柱、Ｇ…地面、Ｒ…樋。
【図１】
2010207096.tif 000003
【図２】
2010207096.tif 000004
【図３】
2010207096.tif 000005
【図４】
2010207096.tif 000006
【図５】
2010207096.tif 000007
【図６】
2010207096.tif 000008
【図７】
2010207096.tif 000009
【図８】
2010207096.tif 000010